(57)【要約】【課題】塵埃を容易に除去可能な撮影装置および塵埃除去方法を提供する。【解決手段】  光学系１８による像を撮像する撮像部３０と、前記撮像部を覆う筐体６と、前記筐体から露出可能に設けられ、前記筐体の外部のグランド電位４０に接続される接続端子３２と、前記接続端子と前記撮像部とを電気的に接続する導電部材２８とを含む撮影装置。【選択図】図１
2010114651.tif 000002
【特許請求の範囲】
【請求項１】
光学系による像を撮像する撮像部と、
前記撮像部を覆う筐体と、
前記筐体から露出可能に設けられ、前記筐体の外部のグランド電位に接続される接続端子と、
前記接続端子と前記撮像部とを電気的に接続する導電部材とを含むことを特徴とする撮影装置。
【請求項２】
請求項１に記載された撮影装置であって、
前記撮像部は、前記光学系による像から撮像信号を生成する撮像素子と、
前記撮像素子と前記光学系との間に備えられた光を透過する光透過性部材とを有し、
前記導電部材は、前記光透過性部材と前記接続端子とを電気的に接続していることを特徴とする撮影装置。
【請求項３】
請求項１又は請求項２に記載された撮影装置であって、
前記接続端子と前記撮像部との間に備えられ、前記接続端子と前記撮像部とを電気的に導通させる状態と、前記接続端子と前記撮像部とを電気的に非導通にさせる状態とを切換え可能なスイッチを有することを特徴とする撮影装置。
【請求項４】
請求項１から請求項３までの何れか１項に記載された撮影装置であって、
前記接続端子は、三脚に取付け可能な三脚座であることを特徴とする撮影装置。
【請求項５】
請求項１から請求項３までの何れか１項に記載された撮影装置であって、
前記接続端子は、前記光学系を含むレンズ鏡筒を取付け可能なマウントであることを特徴とする撮影装置。
【請求項６】
光学系による像を撮像する撮像部を覆う筐体から露出可能に設けられ、導電部材を介して前記撮像部と電気的に接続された接続端子に、前記筐体の外部のグランド電位を接続し、
前記撮像部に付着した塵埃を除去することを特徴とする撮影装置の塵埃除去方法。
【請求項７】
請求項６に記載された撮影装置の塵埃除去方法であって、
前記接続端子と前記撮像部との間に備えられたスイッチを用いて前記接続端子と前記撮像部とを電気的に導通させた後、前記撮像部に付着した塵埃を除去することを特徴とする撮影装置の塵埃除去方法。
【発明の詳細な説明】
【技術分野】
【０００１】
本発明は、撮影装置および撮像部に付着した塵埃を除去する塵埃除去方法に関する。
【背景技術】
【０００２】
近年、レンズ交換式デジタルカメラなどでは、撮像部に含まれる撮像素子または光学フィルタ等にゴミが付着し、撮影した映像にゴミが写りこむなどの問題が発生している。光学フィルタ等にゴミが付着する要因の一つとして、光学フィルタ等またはゴミが帯電することに起因する静電気力が挙げられる。
【０００３】
光学フィルタ等に対するゴミの付着力を弱める従来技術としては、例えば、撮像素子の被写体側表面等を、カメラ内部における基板のＧＮＤ部もしくはカメラのＧＮＤ電位と同等の電位状態とする技術が知られている（特許文献１等参照）。
【０００４】
しかし、従来技術では、筐体および基板等を含むカメラ全体が帯電し、光学フィルタ等に対するゴミの付着力を十分に弱めることができない場合があった。
【特許文献１】特開２００６−１１４９８９号公報
【発明の開示】
【発明が解決しようとする課題】
【０００５】
本発明は、このような実情に鑑みてなされ、その目的は、塵埃を容易に除去可能な撮影装置および塵埃除去方法を提供することである。
【課題を解決するための手段】
【０００６】
上記課題を解決するために、本発明に係る撮影装置は、
光学系（１８）による像を撮像する撮像部（３０）と、
前記撮像部を覆う筐体（６）と、
前記筐体から露出可能に設けられ、前記筐体の外部のグランド電位（４０）に接続される接続端子（３２）と、
前記接続端子と前記撮像部とを電気的に接続する導電部材（２８）とを含むことを特徴とする。
【０００７】
また、例えば、前記撮像部は、前記光学系による像から撮像信号を生成する撮像素子（２６）と、前記撮像素子と前記光学系との間に備えられた光を透過する光透過性部材（２４）とを有し、
前記導電部材は、前記光透過性部材と前記接続端子とを電気的に接続してもよい。
【０００８】
また、例えば、本発明に係る撮影装置は、前記接続端子と前記撮像部との間に備えられ、前記接続端子と前記撮像部とを電気的に導通させる状態と、前記接続端子と前記撮像部とを電気的に非導通にさせる状態とを切換え可能なスイッチ（６６）を有してもよい。
【０００９】
また、例えば、前記接続端子は、三脚に取付け可能な三脚座（５８）であってもよい。
【００１０】
また、例えば、前記接続端子は、前記光学系を含むレンズ鏡筒を取付け可能なマウント（１０ａ）であってもよい。
【００１１】
本発明に係る撮影装置の塵埃除去方法は、光学系による像を撮像する撮像部を覆う筐体から露出可能に設けられ、導電部材を介して前記撮像部と電気的に接続された接続端子に、前記筐体の外部のグランド電位を接続し、
前記撮像部に付着した塵埃を除去することを特徴とする。
【００１２】
また、例えば、本発明に係る撮影装置の塵埃除去方法は、前記接続端子と前記撮像部との間に備えられたスイッチを用いて前記接続端子と前記撮像部とを電気的に導通させた後、前記撮像部に付着した塵埃を除去してもよい。
【００１３】
なお上述の説明では、本発明をわかりやすく説明するために実施形態を示す図面の符号に対応づけて説明したが、本発明は、これに限定されるものでない。後述の実施形態の構成を適宜改良してもよく、また、少なくとも一部を他の構成物に代替させてもよい。さらに、その配置について特に限定のない構成要件は、実施形態で開示した配置に限らず、その機能を達成できる位置に配置することができる。
【発明を実施するための最良の形態】
【００１４】
以下、本発明を、図面に示す実施形態に基づき説明する。
図１は、本発明の第１実施形態に係る一眼レフカメラの概略断面図、
図２は、図１に示すカメラの撮像部周辺の拡大断面図、
図３は、図１に示すカメラの撮像部周辺の拡大平面図、
図４は、本発明の第２実施形態に係る一眼レフカメラの概略断面図、
図５は、本発明の第３実施形態に係る一眼レフカメラの概略断面図、
図６は、本発明の第４実施形態に係る一眼レフカメラの概略断面図、
図７は、図４に示すカメラの撮像部周辺の拡大平面図、
図８は、本発明の第５実施形態に係る一眼レフカメラの概略断面図、
図９は、図８に示すカメラにおける除塵除去方法を説明した模式図、
図１０は、本発明の第６実施形態に係る一眼レフカメラの概略断面図、
図１１は、本発明の第７実施形態に係るカメラボディを表す概略断面図である。
第１実施形態
【００１５】
図１は、本発明の第１実施形態に係るデジタル一眼レフカメラ２の側断面を表している。カメラボディ４の筐体６には開口部８が形成されており、開口部８の周辺にはレンズマウント１０が形成されている。撮影時には、開口部８を覆うように交換レンズ５が設置され、交換レンズ５に備えられる撮影光学系１８によって導かれた撮影光が、筐体６内部に導入される。
【００１６】
なお、各部材の配置については、撮影光学系１８によって導入された撮影光が、撮像素子２６に向かって進行する方向をＸ軸の正方向として説明を行う。また、クイックリターンミラー１２で反射された撮影光が、ペンタプリズム１６に向かって進行する方向をＺ軸の正方向、Ｘ軸方向およびＺ軸方向に直交する方向をＹ方向として説明を行う。
【００１７】
カメラボディ４の筐体６内部には、クイックリターンミラー１２、ファインダスクリーン１４、ペンタプリズム１６、接眼レンズ２２、シャッタ２０、撮像部３０等が具備してある。クイックリターンミラー１２は、シャッタ２０および撮像部３０よりＸ軸負方向側に配置されている。クイックリターンミラー１２は、構図決定の際にファインダ装置に像を映し出すためのもので、露光中は光路から退避する。
【００１８】
ファインダ装置は、ファインダスクリーン１４、ペンタプリズム１６および接眼レンズ２２等によって構成されており、クイックリターンミラー１２からの撮影光を、撮影者の目に導くことができる。クイックリターンミラー１２と撮像部３０の間には、シャッタ２０が配置されている。シャッタ２０は、撮影時において露光時間を制御するための機構であり、不図示のレリーズボタンからの信号等に基づき、撮影光学系１８から撮像素子２６に導かれる撮影光を遮蔽したり、通過させたりすることができる。
【００１９】
撮像部３０は、光学ローパスフィルタ２４と撮像素子２６とを有している。第１実施形態に係るカメラボディ４において、光学ローパスフィルタ２４は、撮像素子２６のＸ軸負方向側表面である受光面を覆うように配置されている。光学ローパスフィルタ２４は、撮影に際して偽色（色モアレ）の発生を防止する。
【００２０】
撮像素子２６は、光学ローパスフィルタ２４を透過した撮影光を受光し、撮影光学系１８による像から撮像信号を生成する。さらに、筐体６の内部には、アース端子部３２が設置されている。アース端子部３２は、筐体６に固定されている端子本体部３４と、筐体６から露出可能に設けられている配線部３６とを有する。
【００２１】
アース端子部３２の端子本体部３４は、内部配線２８を介して、光学ローパスフィルタ２４と電気的に接続されている。アース端子部３２における配線部３６は、端子本体部３４と外部アース４０とを電気的に接続している。すなわち、配線部３６の一方の端部３６ａは、端子本体部３４に対して電気的に接続されている。また、配線部３６の他方の端部３６ｂは、筐体６の外部にある外部アース４０に対して、電気的に接続される。
【００２２】
配線部３６における他方の端部３６ｂは、外部アース４０に対して着脱可能である。すなわち、カメラ２を使用して撮影等を行う際には、他方の端部３６ｂと外部アース４０との接続は解除することができる。他方の端部３６ｂが、外部アース４０から外されている場合において、配線部３６の一部または全部は、筐体６内部に収納可能であることが好ましい。
【００２３】
外部アース４０は、地球（アース）と電気的に接続されているか、または地球（アース）と略同電位であって、配線部３６を接続可能な端子等であれば特に限定されない。外部アース４０としては、例えば、家屋等に備えられるコンセントのアース端子や、当該アース端子に接続されている中継端子等が挙げられる。
【００２４】
配線部３６の他方の端部３６ｂは、例えば拭き取り器具等によって筐体６内部の光学ローパスフィルタ２４等を清掃する時や、レンズ鏡筒５を着脱する時などに、外部アース４０に対して接続される。他方の端部３６ｂが外部アース４０に対して接続されると、アース端子部３２および内部配線２８を介して、光学ローパスフィルタ２４と外部アース４０とが、電気的に接続される。
【００２５】
したがって、例えば光学ローパスフィルタ２４の表面（特にＸ軸負方向側の表面）が帯電している場合でも、光学ローパスフィルタ２４の電荷は、内部配線２８およびアース端子部３２等を介して、外部アース４０に向かって逃がされる。これにより、光学ローパスフィルタ２４の帯電が解消または軽減され、光学ローパスフィルタ２４の清掃時およびレンズ交換時等において、光学ローパスフィルタ２４近傍の塵埃が静電気力によって付着する現象を防止することができる。
【００２６】
また、本実施形態に係るカメラ２によれば、光学ローパスフィルタ２４と外部アース４０が電気的に接続されるため、筐体６全体が帯電しているような場合であっても、光学ローパスフィルタ２４の帯電を確実に解消または軽減することができる。なお、筐体６が導電材料で構成されている場合には、アース端子部３２は、筐体６に対して電気的に接続されていてもよい。また、アース端子部３２は、筐体内部に備えられる不図示の電気基板におけるＧＮＤ回路に対して、電気的に接続されていてもよい。これによって、アース端子部３２を外部アース４０に接続した際に、筐体６や基板のＧＮＤ回路の帯電も同時に解消もしくは軽減することができる。
【００２７】
図２（ａ）は、図１に示すカメラ２における撮像部３０の周辺を拡大した拡大断面図である。図２（ａ）に示す光学ローパスフィルタ２４は、複屈折性基材４２を有している。光学ローパスフィルタ２４のＸ軸正方向側の表面は、撮像素子２６の受光面に対して密着した状態で固定されている。
【００２８】
光学ローパスフィルタ２４のＸ軸負方向側の表面には、内部配線２８が取り付けられている。図１に示すアース端子部３２が外部アース４０に接続されている場合、図２（ａ）に示す内部配線２８も接地されるため、光学ローパスフィルタ２４のＸ軸負方向側の表面に形成された電荷の偏り（帯電）を解消もしくは軽減することができる。
【００２９】
そのため、例えばレンズ交換を行う時に、アース端子部３２と外部アース４０を接続することによって、図１に示す開口部８から筐体６内部に浸入した塵埃が、静電気力によって光学ローパスフィルタ２４の表面に付着する現象を防止することができる。また、光学ローパスフィルタ２４の清掃時において、光学ローパスフィルタ２４の表面に付着した塵埃を除去しやすくするとともに、一度除去された塵埃が、静電気力によって再付着することを防止できる。
【００３０】
図１に示すカメラボディ４に備えられる撮像部３０としては、図２（ａ）に示す構造に限定されず、様々な変形例が考えられる。例えば図２（ｂ）に示す第１変形例に係る撮像部３０ａでは、光学ローパスフィルタ２４ａが、複屈折性基材４２に加えて、無反射層４４（誘電体層）を有している。
【００３１】
無反射層４４のＸ軸正方向側の表面は、複屈折性基材４２のＸ軸負方向側の表面に密着して固定されている。無反射層４４のＸ軸負方向側の表面には、内部配線２８が固定されている。図２（ｂ）に示す無反射層４４は、誘電性が優位な誘電体で構成されているが、内部配線２８が外部アース４０と電気的に接続された場合は、内部配線２８を介して、無反射層４４におけるＸ軸負方向側表面の帯電を解消もしくは軽減することができる。
【００３２】
図２（ｃ）に示す第２変形例に係る撮像部３０ｂでは、光学ローパスフィルタ２４ｂが、複屈折性基材４２に加えて、導電層４６を有している。導電層４６のＸ軸正方向側の表面は、複屈折性基材４２のＸ軸負方向側の表面に密着して固定されている。導電層４６のＸ軸負方向側の表面には、内部配線２８が接続されている。
【００３３】
導電層４６は、例えばＩＴＯ（酸化インジウムスズ）やＺｎＯなどの透明導電材料等によって構成されており、導電性を有する。したがって、図２（ｃ）に示す導電層４６は、内部配線２８が外部アースと電気的に接続された場合、内部配線２８を介して、導電層４６におけるＸ軸負方向側表面の帯電を、より効果的に解消もしくは軽減することができる。
【００３４】
図２（ｄ）に示す第３変形例に係る撮像部３０ｃでは、光学ローパスフィルタ２４ｃが、複屈折性基材４２、無反射層４４および導電層４６を有している。光学ローパスフィルタ２４ｃを構成する各層は、Ｘ軸負方向側からＸ軸正方向側に向かって、無反射層４４、導電層４６、複屈折性基材４２の順に積層されている。
【００３５】
無反射層４４のＸ軸負方向側の表面には内部配線２８が接続されており、無反射層４４のＸ軸正方向側表面には、導電層４６が密着して固定されている。図２（ｄ）に示す無反射層４４も、図２（ｃ）に示す無反射層４４と同様に、内部配線２８が外部アース４０（図１参照）に対して電気的に接続された場合は、内部配線２８を介して、無反射層４４におけるＸ軸負方向側表面の帯電を解消もしくは軽減することができる。
【００３６】
図２（ｅ）に示す第４変形例では、光学ローパスフィルタ２４ｄとアース端子部３２（図１参照）を接続する２本の内部配線２８が、光学ローパスフィルタ２４ｄに接続されている他は、第４変形例と同様である。光学ローパスフィルタ２４ｄとアース端子部３２（図１参照）を接続する内部配線２８の数は１つに限られず、第４変形例に示すように、撮影装置は、複数の内部配線２８を有していてもよい。
【００３７】
第４変形例に係る撮像部３０ｄは、複数の内部配線２８を介してアース端子部３２に接続されているため、無反射層４４におけるＸ軸負方向側表面の帯電を、より均一に解消もしくは軽減することができる。内部配線２８の数や、光学ローパスフィルタ２４ｄにおける内部配線２８の接続位置は、光学ローパスフィルタの面積または形状等に応じて決定される。
【００３８】
図２（ｆ）に示す第５変形例に係る撮像部３０ｅは、内部配線２８が、導電層４６に接続されている他は、第３変形例に係る撮像部３０ｃと同様である。第５変形例に係る撮像部３０ｅも、内部配線２８が外部アース４０（図１参照）に対して電気的に接続された場合は、導電層４６および内部配線２８を介して、無反射層４４におけるＸ軸負方向側表面の帯電を解消もしくは軽減することができる。
【００３９】
図３（ａ）は、第６変形例に係る撮像部３０ｆのＸ軸負方向側から見た平面図である。第６変形例に係る撮像部３０ｆは、光学ローパスフィルタ２４ｆのＸ軸負方向側表面に固定された導電フィルム４８を有しており、内部配線２８は、導電フィルム４８に固定されている。導電フィルム４８は導電性を有しており、電荷を移動させやすいため、第６変形例に係る撮像部３０ｆを備える撮影装置は、より効率的に光学ローパスフィルタ２４ｆのＸ軸負方向側表面の帯電を解消することができる。
【００４０】
導電フィルム４８は、光学ローパスフィルタ２４ｆを透過し、撮像素子に入射する撮影光を妨げない任意の位置に配置することができる。例えば、第６変形例に係る撮像部３０ｆにおいて、導電フィルム４８は、光学ローパスフィルタ２４ｆの角部に配置されている。また、第７変形例に係る撮像部３０ｇ（図３（ｂ））において、導電フィルム４８ａは、光学ローパスフィルタ２４ｇのＹ軸方向両側に配置されている。さらに、第８変形例に係る撮像部３０ｈにおいて、導電フィルム４８ｂは、光学ローパスフィルタ２４ｈの周辺部を取り囲むように、額縁形状に配置されている。
【００４１】
第７変形例および第８変形例に係る撮像部３０ｇ，３０ｈでは、光学ローパスフィルタ２４ｇ，２４ｈにおけるＸ軸負方向側表面と、導電フィルム４８ａ，４８ｂとの接触領域が大きいため、より効率的に光学ローパスフィルタ２４ｇ，２４ｈの帯電を解消することができる。
第２実施形態
【００４２】
図４は本発明の第２実施形態に係るデジタル一眼レフカメラ２ａの側断面を表している。第２実施形態に係るカメラ２ａは、撮像部３０ｉが振動部材５０を有している他は、第１実施形態に係るカメラ２と同様である。
【００４３】
図４に示すように、撮像部３０ｉに備えられる光学ローパスフィルタ２４のＸ軸負方向側表面には、振動部材５０が取り付けられている。図７は、第２実施形態に係る撮像部３０ｉを、Ｘ軸負方向側から見た拡大平面図である。振動部材５０は、光学ローパスフィルタ２４のＹ軸方向両側に備えられており、不図示の駆動制御部からの制御を受けて、光学ローパスフィルタ２４の表面に振動を発生させることができる。
【００４４】
振動部材５０は、光学ローパスフィルタ２４の表面に付着した塵埃を除去するために適切な振動を発生させるものであれば特に限定されないが、例えば圧電素子等によって構成される。また、光学ローパスフィルタ２４のＸ軸負方向側表面には、内部配線２８が電気的に接続されている。内部配線２８は、光学ローパスフィルタ２４に直接固定されていてもよいが、図７に示すように、導電フィルム４８を介して、光学ローパスフィルタ２４に接続されていてもよい。
【００４５】
図４に示すカメラ２ａにおける配線部３６の他方の端部３６ｂは、第１実施形態と同様に、外部アース４０に対して着脱可能である。配線部３６の他方の端部３６ｂは、例えば、振動部材５０によって、光学ローパスフィルタ２４の表面に振動を発生させて塵埃を除去する塵埃除去動作を行っている時に、外部アース４０に対して接続される。
【００４６】
このようにすることで、振動部材５０による塵埃除去動作前に、帯電等に起因する静電気力によって、光学ローパスフィルタ２４の表面に塵埃が強固に付着しているような場合であっても、静電気力を弱めて、塵埃を除去し易くすることができる。すなわち、塵埃除去動作前に、配線部３６の他方の端部３６ｂを外部アース４０に接続することによって、光学ローパスフィルタ２４の電荷は、内部配線２８およびアース端子部３２等を介して、外部アース４０に向かって逃がされる。光学ローパスフィルタ２４表面の帯電が解消または軽減されることによって、塵埃の付着力が弱められている。したがって、本実施形態に係るカメラ２ａは、振動部材５０による塵埃除去動作によって、光学ローパスフィルタ２４から容易に塵埃を除去できる。また、一度光学ローパスフィルタ２４から離間した塵埃が、静電気力によって再付着する現象を防止することができる。
【００４７】
さらに、本実施形態に係るカメラ２ａによれば、光学ローパスフィルタ２４と外部アース４０が電気的に接続されるため、筐体６全体が帯電しているような場合であっても、光学ローパスフィルタ２４の帯電を確実に解消または軽減することができる。なお、本実施形態に係るカメラ２ａにおいて、配線部３６の他方の端部３６ｂは、光学ローパスフィルタ２４の拭き取り清掃時およびレンズ交換時にも、外部アース４０に対して接続されてもよい。
第３実施形態
【００４８】
図５は、本発明の第３実施形態に係るデジタル一眼レフカメラ２ｂの側断面を表している。第３実施形態に係るカメラ２ｂは、撮像部３０ｉとアース端子部３２を電気的に接続する配線部が、内部配線２８ｂと筐体６ａによって構成されている他は、第２実施形態に係るカメラ２ａと同様である。
【００４９】
図５に示す内部配線２８ｂの一方の端部は、光学ローパスフィルタ２４のＸ軸正方向側表面に固定されており、他方の端部は筐体６ａに固定されている。第３実施形態において、筐体６ａは導電材料で構成されている。また、さらに、アース端子部３２の端子本体部３４も、内部配線２８ｂの他方の端部とは離れた位置で、筐体６ａに固定され、筐体６ａに対して電気的に接続されている。
【００５０】
すなわち、第３実施形態に係るデジタル一眼レフカメラ２ｂでは、アース端子部３２と光学ローパスフィルタ２４とを電気的に接続する配線部が、内部配線２８ｂと筐体６ａとによって構成されている。このような構成とすることによって、内部配線２８ｂを短縮したり、単純化したりすることができる。また、端子本体部３４の配置の自由度が向上する。
【００５１】
また、筐体６ａは、筐体６ａ内部に備えられる不図示の電気基板におけるＧＮＤ回路が接続されることによって、筐体アースを構成していてもよい。これによって、アース端子部３２を外部アース４０に接続した際に、筐体６ａやＧＮＤ回路の帯電も同時に解消もしくは軽減することができる。なお、第３実施形態に係るデジタル一眼レフカメラ２ｂは、第２実施形態に係るカメラ２ａと同様の効果を奏する。
第４実施形態
【００５２】
図６は、本発明の第４実施形態に係るデジタル一眼レフカメラ２ｃの側断面を表している。第４実施形態に係るカメラ２ｃは、撮像部３０ｉとアース端子部３２を電気的に接続する配線部が、内部配線２８によって構成される第１の経路と、内部配線２８ｂおよび筐体６ａによって構成される第２の経路の２つの経路によって構成される他は、第３実施形態に係るカメラ２ｂと同様である。
【００５３】
図６に示すように、撮像部３０ｉにおける光学ローパスフィルタ２４と、アース端子部３２とを電気的に接続する配線部は、複数の経路によって構成されていてもよい。光学ローパスフィルタ２４とアース端子部３２を複数の経路によって電気的に接続することよって、導通の信頼性が向上する。したがって、アース端子部３２を外部アース４０に接続した際に、光学ローパスフィルタ２４の帯電を確実に解消または軽減することができる。なお、第４実施形態に係るデジタル一眼レフカメラ２ｃは、第３実施形態に係るカメラ２ｂと同様の効果を奏する。
第５実施形態
【００５４】
図８は、本発明の第５実施形態に係るデジタル一眼レフカメラ２ｄの側断面を表している。第５実施形態に係るカメラ２ｄは、カメラボディ４の筐体６ｂが、Ｘ軸負方向側に開口を有するアース端子収納部５２を有しており、アース端子収納部５２の内部にアース端子部３２ａが収納されている他は、第１実施形態に係るカメラ２と同様である。
【００５５】
図９（ａ）〜図９（ｃ）は、図８に示すアース端子収納部５２周辺の拡大模式図であり、アース端子収納部５２に収納されているアース端子部３２ａと、外部アース４０とを電気的に接続する方法を説明したものである。図９（ａ）に示すように、アース端子収納部５２のＸ軸正方向側の開口には、蓋５２ａが備えられている。撮影者がカメラ２ｄを使用して撮影等を行う際には、アース端子収納部５２の蓋５２ａは閉じられており、アース端子部３２ａは筐体６ｂ外部に露出していない。
【００５６】
しかし、光学ローパスフィルタ２４に付着した塵埃を除去する際には、図９（ｂ）に示すように、アース端子収納部５２の蓋５２ａを開き、アース端子部３２ａを筐体６ｂ外部に露出させる。次に、光学ローパスフィルタ２４に対して電気的に接続されているアース端子部３２ａに、外部アース４０に対して、中継コード５４を介して電気的に接続されているプローブ５６を接続する。
【００５７】
図９（ｃ）に示すように、プローブ５６の先端に形成されているフック５６ａを、アース端子部３２ａに係合させることによって、アース端子部３２ａと外部アース４０は電気的に接続される。これにより、内部配線２８と電気的に接続されている光学ローパスフィルタ２４（図８参照）の表面も、外部アース４０に対して電気的に接続される。
【００５８】
さらに、図９（ｃ）に示すように、アース端子部３２ａとプローブ５６を接続した状態で、光学ローパスフィルタ２４に付着した塵埃を除去する。塵埃の除去は、例えば図８に示すレンズ鏡筒５をカメラボディ４から取り外した状態で、拭き取り器具を開口８から筐体６ｂの内部に挿入し、光学ローパスフィルタ２４のＸ軸負方向側の表面を拭き取り器具の先端で拭くことによって行われる。
【００５９】
本実施形態に係るカメラ２ｄでは、光学ローパスフィルタ２４の電荷が外部アース４０に向かって逃がされるため、塵埃を光学ローパスフィルタ２４の表面に付着させる静電気力が抑制される。また、本実施形態におけるカメラ２ｄを用いて説明した塵埃の除去方法によれば、光学ローパスフィルタ２４の表面に付着した塵埃を容易に除去することができる。また、拭き取り器具の先端と、光学ローパスフィルタ２４との摩擦によって発生する帯電現象も抑制されるため、塵埃の再付着が抑制され、効率的に塵埃の除去を行うことができる。
【００６０】
なお、外部アース４０とアース端子部３２ａとを接続する中継ケーブル５４およびプローブ５６は、筐体６ｂの内部に備えられた撮像素子２６等の電子部品に電力を供給できる電源ケーブル等と一体に形成されていてもよい。この場合、アース端子部３２ａは、電源ケーブル等が接続される電源端子（不図示）と一体となっていてもよい。なお、本実施形態に係るカメラ２ｄは、第１実施形態に係るカメラ２と同様の効果を奏する。
第６実施形態
【００６１】
図１０は、本発明の第６実施形態に係るデジタル一眼レフカメラ２ｅの側断面を表している。第６実施形態に係るカメラ２ｅは、内部配線２８ｃが、筐体６の底部（Ｚ負方向側）に設けられた三脚座５８に接続されており、三脚座５８がアース端子部を兼ねている他は、第２実施形態に係るカメラ２ａ（図４参照）と同様である。
【００６２】
三脚座５８は、筐体６の外部に常時露出しており、カメラ２ｅを用いて撮影を行う際には、カメラ２ｅを地面に接地するための三脚等が取り付けられる。しかし、光学ローパスフィルタ２４に付着した塵埃を除去する際には、図１０に示すプローブ６０が、三脚座５８に取り付けられる。プローブ６０は、三脚座５８に取付け可能な形状を有しており、中継コード５４を介して外部アース４０に電気的接続されている。
【００６３】
プローブ６０が三脚剤５８に取り付けられると、光学ローパスフィルタ２４は、内部配線２８ｃ等を介して外部アース４０と電気的に接続されるため、光学ローパスフィルタ２４表面の帯電が解消または軽減され、塵埃の付着力が弱められる。この状態で、振動部材５０を駆動して光学ローパスフィルタ２４の表面を振動させることによって、光学ローパスフィルタに付着した塵埃を容易に除去することができる。
【００６４】
本実施形態に係るデジタル一眼レフカメラ２ｅは、三脚座５８がアース端子部を兼ねているため、塵埃を容易に除去できる特性を有しつつ、部品点数が抑制されている。また、本実施形態に係るデジタル一眼レフカメラ２ｅは、第２実施形態に係るカメラ２ａと同様の効果を奏する。
第７実施形態
【００６５】
図１１は本発明の第７実施形態に係るカメラボディ４ａの側断面を表している。第２実施形態に係るカメラボディ４ａは、配線部２８ｄが、光学ローパスフィルタ２４とレンズマウント１０ａを接続しており、レンズマウント１０ａがアース端子部を兼ねている他は、第１実施形態に係るカメラボディ４と同様である。
【００６６】
図１１は、拭き取り器具６２を用いて、筐体６に備えられた光学ローパスフィルタ２４のＸ軸負方向側表面を清掃する状態を表している。本実施形態に係るカメラボディ４ａにおいて、光学ローパスフィルタ２４の表面に付着した塵埃を除去する場合、まず、拭き取り器具６２の取付カバー６４を、レンズマウント１０ａに取り付ける。
【００６７】
取付カバー６４は導電性の材料で作成されており、取付カバー６４をレンズマウント１０ａに取り付けることによって、取付カバー６４とレンズマウント１０ａが電気的に接続される。なお、取付カバー６４は、中継コード５４を介して外部アース４０に接続されている。
【００６８】
レンズマウント１０ａと光学ローパスフィルタ２４を接続可能な内部配線２８ｄは、レンズマウント１０ａと光学ローパスフィルタ２４との間にスイッチ６６を有している。取付カバー６４をレンズマウント１０ａに取り付けた後に、スイッチ６６を閉じ、光学ローパスフィルタ２４とレンズマウント１０ａとを電気的に導通させる。なお、カメラボディ４ａを用いて撮影を行う時などは、レンズマウント１０ａに備えられる電気配線等から、光学ローパスフィルタ２４に誤って電流が流れないようにするため、スイッチ６６は開かれている。
【００６９】
スイッチ６６を閉じることによって、光学ローパスフィルタ２４は、内部配線２８ｄ、レンズマウント１０ａ等を介して外部アース４０と電気的に接続されるため、光学ローパスフィルタ２４表面の帯電が解消または軽減され、塵埃の付着力が弱められる。この状態で、拭き取り器具６２を筐体６の内部に挿入し、拭き取り器具６２の先端部で光学ローパスフィルタ２４の表面を拭き取ることによって、光学ローパスフィルタ２４の表面に付着している塵埃を容易に除去することができる。
【００７０】
本実施形態では、光学ローパスフィルタ２４の電荷が外部アース４０に向かって逃がされるため、塵埃を光学ローパスフィルタ２４の表面に付着させる静電気力が抑制される。したがって、本実施形態におけるカメラボディ４ａを用いて説明した塵埃の除去方法によれば、光学ローパスフィルタ２４の表面に付着した塵埃を容易に除去することができる。また、拭き取り器具６２の先端と、光学ローパスフィルタ２４との摩擦によって発生する帯電現象も抑制されるため、塵埃の再付着が抑制され、効率的に塵埃の除去を行うことができる。
【００７１】
また、レンズマウント１０ａが、外部アース４０に接続されるアース端子部を兼ねており、レンズマウント１０ａに拭き取り器具６２を取り付けるための取付カバー６４が、レンズマウント１０ａと外部アース４０を接続するプローブを兼ねている。したがって、本実施形態に係るカメラボディ４ａは、塵埃を容易に除去できる特性を有しつつ、部品点数が抑制されている。また、本実施形態に係るカメラボディ４ａは、第１実施形態に係るカメラボディ４と同様の効果を奏する。
【図面の簡単な説明】
【００７２】
【図１】図１は、本発明の第１実施形態に係る一眼レフカメラの概略断面図である。
【図２】図２は、図１に示すカメラの撮像部周辺およびその変形例を表す拡大断面図である。
【図３】図３は、図１に示すカメラの撮像部周辺およびその変形例を表す拡大平面図である。
【図４】図４は、本発明の第２実施形態に係る一眼レフカメラの概略断面図である。
【図５】図５は、本発明の第３実施形態に係る一眼レフカメラの概略断面図である。
【図６】図６は、本発明の第４実施形態に係る一眼レフカメラの概略断面図である。
【図７】図７は、図４に示すカメラの撮像部周辺の拡大平面図である。
【図８】図８は、本発明の第５実施形態に係る一眼レフカメラの概略断面図である。
【図９】図９は、図８に示すカメラにおける除塵除去方法を説明した模式図である。
【図１０】図１０は、本発明の第６実施形態に係る一眼レフカメラの概略断面図である。
【図１１】図１１は、本発明の第７実施形態に係るカメラボディを表す概略断面図である。
【符号の説明】
【００７３】
１０，１０ａ…  レンズマウント
２４，２４ａ〜２４ｈ…  光学ローパスフィルタ
２６…  撮像素子
２８，２８ｂ〜２８ｄ…  内部配線
３０，３０ａ〜３０ｉ…  撮像部
３２，３２ａ…  アース端子部
３４…  端子本体部
３６…  配線部
４０…  外部アース
５８…  三脚座
６６…  スイッチ
【図１】
2010114651.tif 000003
【図２】
2010114651.tif 000004
【図３】
2010114651.tif 000005
【図４】
2010114651.tif 000006
【図５】
2010114651.tif 000007
【図６】
2010114651.tif 000008
【図７】
2010114651.tif 000009
【図８】
2010114651.tif 000010
【図９】
2010114651.tif 000011
【図１０】
2010114651.tif 000012
【図１１】
2010114651.tif 000013